【手続補正書】
【提出日】平成26年6月20日(2014.6.20)
【手続補正１】
【補正対象書類名】特許請求の範囲
【補正対象項目名】全文
【補正方法】変更
【補正の内容】
【特許請求の範囲】
【請求項１】
静止画撮影及び動画記録が可能な撮像装置であって、
被写体像を撮像する撮像手段と、
前記撮像手段により撮像された画像をスルー表示するライブビュー状態において、静止画撮影を行うための撮影指示に応じて静止画撮影を開始する静止画撮影手段と、
前記撮像手段により撮像された画像をスルー表示するライブビュー状態における動画記録が可能な状態において、静止画撮影を行うための前記撮影指示を行う第１の操作手段とは異なる第２の操作手段からの動画記録を行うための記録指示に応じて動画記録を開始する動画記録手段と、
前記静止画撮影を行うための前記撮影指示により通知される撮影指示信号に応じて前記動画記録手段が動画記録を開始するように設定する設定手段と、
前記設定手段により前記撮影指示信号に応じて動画記録を開始することが設定されておらず、かつ前記動画記録が可能な状態において、前記撮影指示信号が通知された場合、前記撮影指示信号に応じて静止画撮影を開始するように前記静止画撮影手段を制御し、
前記設定手段により前記撮影指示信号に応じて動画記録を開始するように設定され、かつ前記動画記録が可能な状態において、前記撮影指示信号が通知された場合、前記動画記録を開始するように前記動画記録手段を制御する制御手段と、を有することを特徴とする撮像装置。
【請求項２】
前記静止画撮影手段を遠隔操作するためのリモートコントローラと接続する接続手段を更に有し、
前記撮影指示信号は、前記接続手段に接続されたリモートコントローラからの撮影指示に応じて通知されることを特徴とする請求項１に記載の撮像装置。
【請求項３】
前記リモートコントローラは、前記接続手段と電気的に接続することを特徴とする請求項２に記載の撮像装置。
【請求項４】
前記制御手段は、前記接続手段に前記リモートコントローラが接続されていない場合は、前記設定手段により前記撮影指示信号に応じて動画記録を開始するように設定され、かつ前記動画記録が可能な状態であっても、前記撮影指示信号が通知された場合、動画記録ではなく、前記撮影指示信号に応じて静止画撮影を開始するように前記静止画撮影手段を制御することを特徴とする請求項２又は３に記載の撮像装置。
【請求項５】
前記接続手段に前記リモートコントローラが接続されているか否かを検知する接続検知手段を更に有することを特徴とする請求項２乃至４のいずれか１項に記載の撮像装置。
【請求項６】
前記設定手段は、前記撮影指示信号に応じては動画記録を開始しない第１の設定と、前記第１の操作手段への操作に応じて通知される撮影指示信号に応じても動画記録を開始する第２の設定と、前記第１の操作手段への操作に応じて通知される撮影指示信号に応じては前記動画記録は開始せずに、前記リモートコントローラへの操作に応じて通知される撮影指示信号に応じて前記動画記録を開始する第３の設定とを含む複数の設定候補のうちいずれかに設定可能であることを特徴とする請求項２乃至５のいずれか１項に記載の撮像装置。
【請求項７】
前記設定手段で設定可能な選択肢を表示手段に表示するように制御する表示制御手段を更に有し、
前記設定手段は、前記表示制御手段によって表示された前記選択肢の中からユーザに選択された内容を設定することを特徴とする請求項１乃至６のいずれか１項に記載の撮像装置。
【請求項８】
前記制御手段は、前記設定手段により前記撮影指示信号に応じて動画記録を開始するように設定され、かつ前記動画記録が可能な状態において、前記第２の操作手段からの記録指示があった場合に動画記録を開始するように前記動画記録手段を制御することを特徴とする請求項１乃至７のいずれか１項に記載の撮像装置。
【請求項９】
前記設定手段は、前記動画記録が可能な状態としての動画モードにおいてのみ、前記撮影指示信号に応じて前記動画記録手段が動画記録を開始する設定が可能であり、
前記制御手段は、前記ライブビュー状態において、前記撮影指示信号に応じて動画記録を開始するように前記設定手段で設定されている場合には警告を表示することを特徴とする請求項１乃至８のいずれか１項に記載の撮像装置。
【請求項１０】
撮像手段により撮像された画像をスルー表示するライブビュー状態において、静止画撮影を行うための撮影指示に応じて静止画撮影を開始する静止画撮影手段と、
前記撮像手段により撮像された画像をスルー表示するライブビュー状態における動画記録が可能な状態において、静止画撮影を行うための前記撮影指示を行う第１の操作手段とは異なる第２の操作手段からの動画記録を行うための記録指示に応じて動画記録を開始する動画記録手段と、を有する撮像装置の制御方法であって、
前記静止画撮影を行うための前記撮影指示により通知される撮影指示信号に応じて前記動画記録手段が動画記録を開始するように設定する設定工程と、
前記設定工程により前記撮影指示信号に応じて動画記録を開始することが設定されておらず、かつ前記動画記録が可能な状態において、前記撮影指示信号が通知された場合、前記撮影指示信号に応じて静止画撮影を開始するように制御し、
前記設定工程により前記撮影指示信号に応じて動画記録を開始するように設定され、かつ前記動画記録が可能な状態において、前記撮影指示信号が通知された場合、前記動画記録を開始するように制御する制御工程と、を有することを特徴とする制御方法。
【請求項１１】
コンピュータを、請求項１ないし９のいずれか１項に記載された撮像装置の各手段として機能させるためのプログラム。
【請求項１２】
コンピュータを、請求項１ないし９のいずれか１項に記載された撮像装置の各手段として機能させるためのプログラムを記憶したコンピュータによる読み取りが可能な記憶媒体。
【手続補正２】
【補正対象書類名】明細書
【補正対象項目名】０００８
【補正方法】変更
【補正の内容】
【０００８】
上記課題を解決し、目的を達成するために、本発明の撮像装置は、静止画撮影及び動画記録が可能な撮像装置であって、被写体像を撮像する撮像手段と、前記撮像手段により撮像された画像をスルー表示するライブビュー状態において、静止画撮影を行うための撮影指示に応じて静止画撮影を開始する静止画撮影手段と、前記撮像手段により撮像された画像をスルー表示するライブビュー状態における動画記録が可能な状態において、静止画撮影を行うための前記撮影指示を行う第１の操作手段とは異なる第２の操作手段からの動画記録を行うための記録指示に応じて動画記録を開始する動画記録手段と、前記静止画撮影を行うための前記撮影指示により通知される撮影指示信号に応じて前記動画記録手段が動画記録を開始するように設定する設定手段と、前記設定手段により前記撮影指示信号に応じて動画記録を開始することが設定されておらず、かつ前記動画記録が可能な状態において、前記撮影指示信号が通知された場合、前記撮影指示信号に応じて静止画撮影を開始するように前記静止画撮影手段を制御し、前記設定手段により前記撮影指示信号に応じて動画記録を開始するように設定され、かつ前記動画記録が可能な状態において、前記撮影指示信号が通知された場合、前記動画記録を開始するように前記動画記録手段を制御する制御手段と、を有する。
【手続補正３】
【補正対象書類名】明細書
【補正対象項目名】００２０
【補正方法】変更
【補正の内容】
【００２０】
撮像素子１２０は、一般的にＣＣＤやＣＭＯＳ等からなるイメージセンサであり、レンズユニット１５０を通して撮像素子１２０上に結像された被写体像を光電変換して電気信号として取り込む。
【手続補正４】
【補正対象書類名】明細書
【補正対象項目名】００７４
【補正方法】変更
【補正の内容】
【００７４】
Ｓ５１２では、マイクロコンピュータ１４０は、動画記録を開始するか静止画撮影を開始するか判定し、しかるべき処理を行う。Ｓ５１２については、図６で後述する。
【手続補正５】
【補正対象書類名】図面
【補正対象項目名】図１
【補正方法】変更
【補正の内容】
【図１】
2013012852.tif 000001